(57)【要約】【課題】  現金管理の手間を軽減すると共に、遊技ホールでの高額紙幣の資金効率を高め、かつ遊技客による獲得遊技媒体の現金化の手間も軽減する。【解決手段】  両替機２０において、両替処理部２２０１は、紙幣挿入口２１０から挿入された紙幣の金額から両替換算テーブル２２０３を参照して該金額に相当する両替金を換算し、該両替金に相当する各金種の貨幣を該当する各貨幣収容払出部２１４，２１６，２１７から払出す両替処理を行う。換金処理部２２０２は、挿入口２０１から挿入された景品交換用記録媒体９５ｂに記録される情報によって特定される景品遊技媒体数から換算率テーブル２２０４，２２０５を参照して該景品遊技媒体数と等価の換金金額を換算し、該換算金額に相当する各金種の貨幣を該当各貨幣収容払出部２１３，２１４，２１６，２１７から払出す換金処理を行う。【選択図】  図６
2005301509.tif 000002
【特許請求の範囲】
【請求項１】
遊技場内に設置され、該遊技場内で扱う貨幣を処理する貨幣処理装置において、
各金種の貨幣を各別に収容し、払出し指示された金額分の貨幣を各別に払出す複数の貨幣収容払出手段と、
投入された紙幣を識別する紙幣識別手段と、
前記紙幣識別手段により識別された紙幣を両替金に換算する第１の換算手段と、
景品遊技媒体数を特定する情報が記録された景品交換用記録媒体を受け入れ、該景品交換用記録媒体から前記情報を読取る情報読取手段と、
前記情報読取手段により読取られた前記情報によって特定される景品遊技媒体数を等価の換金額に換算する第２の換算手段と、
前記第１または第２の換算手段による換算金に相当する各金種の貨幣を該当する各貨幣収容払出手段から払出すように払出し指示する両替／換金制御手段と
を具備することを特徴とする貨幣処理装置。
【請求項２】
前記貨幣収容払出手段は、
前記両替金としての払出し対象となり得ない高額紙幣を収容する高額紙幣収容払出手段
を含み、
両替時、投入された前記高額紙幣を前記高額紙幣収容払出手段に収容するように搬送すると共に、換金時、前記換金額に含まれる前記高額紙幣を前記高額紙幣収容払出手段から払出すように搬送する高額紙幣搬送制御手段
を具備することを特徴とする請求項１記載の貨幣処理装置。
【請求項３】
前記景品交換用記録媒体は、
遊技媒体数を計数する計数機から発行され、前記遊技媒体の計数値に対応する景品遊技媒体数情報が記録されるカードまたはレシート媒体であり、
前記第２の換算手段は、
前記カードまたはレシート媒体から前記情報読取手段により読取られた前記景品遊技媒体数情報に基づき前記換金額を算出する
ことを特徴とする請求項１記載の貨幣処理装置。
【請求項４】
前記景品交換用記録媒体は、
遊技媒体数を計数する計数機から発行され、自記録媒体に対応する媒体識別情報が記録され、かつ前記遊技媒体の計数値に対応する景品遊技媒体数情報が当該媒体識別情報に対応して上位管理装置に登録されるカードまたはレシート媒体であり、
前記第２の換算手段は、
前記カードまたはレシート媒体から前記情報読取手段により読取られた前記媒体識別情報に対応する前記景品遊技媒体数情報を前記上位管理装置から取得し、該取得した景品遊技媒体数情報に基づき前記換金額を算出する
ことを特徴とする請求項１記載の貨幣処理装置。
【請求項５】
前記景品交換用記録媒体は、
上位管理装置に登録された会員コードを記録したうえで発行され、遊技媒体数を計数する計数機に挿入することにより、該遊技媒体の計数値が貯遊技媒体数として自記録媒体から読取られた前記会員コードに対応して前記上位管理装置に登録される会員カードであり、
前記第２の換算手段は、
前記会員カードから前記情報読取手段により読取られた前記会員コードに対応する前記貯遊技媒体数情報を前記上位管理装置から取得し、該取得した貯遊技媒体数から得られる等価の景品遊技媒体数に基づき前記換金額を算出する
ことを特徴とする請求項１記載の貨幣処理装置。
【請求項６】
前記カードまたはレシート媒体の発行に合わせて前記計数機から送出される当該カードまたはレシート媒体に対応する景品交換用記録媒体情報を受信して登録すると共に、貨幣処理装置から景品交換用記録媒体情報を受信し、該受信した景品交換用記録媒体情報と、登録されている景品交換用記録媒体情報を比較することにより、貨幣処理装置が受け入れたカードまたはレシート媒体が適正であるか否かを判定し、該判定結果を貨幣処理装置に送信する前記上位管理装置に接続され、
受け入れた前記景品交換用記録媒体から前記情報読取手段により読取られた前記景品交換用記録媒体情報を前記上位管理装置に送信する手段と、
前記景品交換用記録媒体情報の送出に対応して、前記上位管理装置から受信される前記判定結果に基づき、自装置が受け入れているカードまたはレシート媒体が適正であるか否かを認識する手段と
を具備することを特徴とする請求項３記載の貨幣処理装置。
【請求項７】
前記カードまたはレシート媒体の発行に合わせて前記計数機から送出される当該カードまたはレシート媒体に対応する景品交換用記録媒体情報を受信して登録すると共に、該登録されている景品交換用記録媒体情報を貨幣処理装置に送信する前記上位管理装置に接続され、
前記上記管理装置から送信される前記登録済み景品交換用記録媒体情報を受信して保持する手段と、
受け入れた前記カードまたはレシート媒体から前記情報読取手段により読取られた前記景品交換用記録媒体情報と、保持している前記登録済み景品交換用記録媒体情報を比較することにより、受け入れたカードまたはレシート媒体が適正であるか否かを判定する適否判定手段と
を具備することを特徴とする請求項３記載の貨幣処理装置。
【請求項８】
前記カードまたはレシート媒体の発行に合わせて前記計数機から送出される当該カードまたはレシート媒体に対応する媒体識別情報を受信して登録すると共に、貨幣処理装置から媒体識別情報を受信し、該受信した媒体識別情報と、登録されている媒体識別情報を比較することにより、貨幣処理装置が受け入れたカードまたはレシート媒体が適正であるか否かを判定し、該判定結果を貨幣処理装置に送信する前記上位管理装置に接続され、
受け入れた前記景品交換用記録媒体から前記情報読取手段により読取られた前記媒体識別情報を前記上位管理装置に送信する手段と、
前記媒体識別情報の送出に対応して、前記上位管理装置から受信される前記判定結果に基づき、自装置が受け入れているカードまたはレシート媒体が適正であるか否かを認識する手段と
を具備することを特徴とする請求項４記載の貨幣処理装置。
【請求項９】
貨幣処理装置から受入れられた会員カードに記録された会員コードを受信し、該受信した会員コードと、登録されている会員コードを比較することにより、貨幣処理装置が受け入れた会員カードが適正であるか否かを判定し、該判定結果を貨幣処理装置に送信する前記上位管理装置に接続され、
受け入れた前記会員カードから前記情報読取手段により読取られた前記会員コードを前記上位管理装置に送信する手段と、
前記会員コードの送出に対応して、前記上位管理装置から受信される前記判定結果に基づき、自装置が受け入れている会員カードが適正であるか否かを認識する手段と
を具備することを特徴とする請求項５記載の貨幣処理装置。
【請求項１０】
景品遊技媒体数を現金に換算する際の換金率を設定する換金率設定手段
を具備し、
前記第２の換算手段は、
前記換金率設定手段により設定された換金率に基づき前記換金額を算出する
ことを特徴とする請求項１記載の貨幣処理装置。
【請求項１１】
景品遊技媒体数を現金に換算する際の換金率を設定する換金率設定手段を有する上位管理装置に接続され、
前記第２の換算手段は、
前記上位管理装置の前記換金率設定手段により設定された換金率に基づき前記換金金額を算出する
ことを特徴とする請求項１記載の貨幣処理装置。
【発明の詳細な説明】
【技術分野】
【０００１】
本発明は、遊技場内に設置される両替機等の貨幣処理装置に係わり、詳しくは、両替機能と、景品遊技媒体数を特定する情報を記録した景品交換用記録媒体を受け入れて該景品遊技媒体数と等価の現金を払い出す換金機能を併有することにより、両替時に投入された高額紙幣を換金時に再利用可能にした貨幣処理装置に関する。
【背景技術】
【０００２】
パチンコ台やスロットマシン（パチスロ）などの遊技機が配置された遊技場（以下、遊技ホール）では、遊技客が高額紙幣しか持っていない場合でも、より低額の現金を投じて遊技を楽しむことができるように、高額紙幣をより低額な紙幣や硬貨を含む貨幣に両替する両替機が設置されている。
【０００３】
この種の従来の両替機は、例えば、下記特許文献１に開示される両替機のように、両替のために挿入された高額紙幣（１万円札や５千円札）を機内（スタッカ２，３）に収容したままにする構成を有し（段落００１２）、この収容された高額紙幣を所定のタイミングで店員が回収し、事務所の金庫等に保管するのが一般的であった。
【０００４】
一方、遊技ホールでは、遊技客が遊技機（パチンコ機、パチスロ機等）によって獲得した遊技媒体（パチンコ玉，メダル等）を景品に交換するサービスを提供している。
【０００５】
このサービスに用いられる公知の景品交換システムとしては、例えば、下記特許文献２の特殊賞品流通管理システムがあった。
【０００６】
この特許文献２に記載のシステムでは、遊技客が獲得したパチンコ玉（出玉）を出玉計数機１２で計数し、この計数結果を記録した出玉カード（図４参照）を発行する（段落００１８）。
【０００７】
そして、遊技客は、この出玉カードを景品交換カウンタにて賞品に交換するが、この時に特殊賞品（特殊景品）への交換を希望すれば、出玉カードに記録された出玉数に対応する特殊景品（賞品）の種別及び個数を記録した景品交換用記録媒体〔商品明細カード（図５参照）〕への交換が行える（段落００２１〜００２３）。
【０００８】
その後、遊技客は、例えば、遊技ホールの外にある景品交換所まで行って、当該景品交換用記録媒体に記録された特殊景品を等価の現金に交換することができる（段落００２５〜００２９）。
【特許文献１】特開平５−２９０２４１号公報
【特許文献２】特開２００３−１２６５３１号公報
【発明の開示】
【発明が解決しようとする課題】
【０００９】
このように、上記従来の両替機は、両替時に挿入された高額紙幣を機内に収容したままにする構成を有し、該収容された高額紙幣は、その後も、所定のタイミングで店員が回収して金庫等に保管されだけであったため、遊技客が獲得した遊技媒体の現金化などに用いる高額紙幣は上記保管金とは別に用意する必要があり、高額紙幣の資金効率が悪かった。
【００１０】
また、上記従来の景品交換システムでは、遊技客が獲得した遊技媒体を現金に交換するには、獲得した遊技媒体の計数結果を記録した景品交換用記録媒体を景品交換カウンタで特殊景品に交換したうえで、更に、該特殊景品を遊技店の外部の景品交換所まで持って行って現金に換金することが必要であり、遊技客にとっては現金化の手間がかかり、遊技ホールにとっては稼働率低下を免れなかった。
【００１１】
また、遊技ホールでは、換金のための特殊景品の準備を行わなければならず、多くの運用資金が必要とされていた。また、特殊景品を買い上げるために景品交換所に多くの現金を準備する必要があり、遊技ホールと景品交換所に跨った現金管理の必要性から、現金管理のために多大な手間を要していた。
【００１２】
本発明は上記実情に鑑みてなされたものであり、遊技ホールと景品交換所とに現金を分散して準備する必要性を無くして現金管理の手間を軽減すると共に、遊技ホール内における高額紙幣の資金効率を高めることで資金運用を良くし、しかも、遊技客による獲得遊技媒体の現金化の手間も軽減できる遊技ホール用の貨幣処理装置を提供することを目的とする。
【課題を解決するための手段】
【００１３】
上記目的を達成するために、請求項１記載の発明は、遊技場内に設置され、該遊技場内で扱う貨幣を処理する貨幣処理装置において、各金種の貨幣を各別に収容し、払出し指示された金額分の貨幣を各別に払出す複数の貨幣収容払出手段と、投入された紙幣を識別する紙幣識別手段と、前記紙幣識別手段により識別された紙幣を両替金に換算する第１の換算手段と、景品遊技媒体数を特定する情報が記録された景品交換用記録媒体を受け入れ、該景品交換用記録媒体から前記情報を読取る情報読取手段と、前記情報読取手段により読取られた前記情報によって特定される景品遊技媒体数を等価の換金額に換算する第２の換算手段と、前記第１または第２の換算手段による換算金に相当する各金種の貨幣を該当する各貨幣収容払出手段から払出すように払出し指示する両替／換金制御手段とを具備することを特徴とする。
【００１４】
請求項２記載の発明は、上記請求項１記載の発明において、前記貨幣収容払出手段は、前記両替金としての払出し対象となり得ない高額紙幣を収容する高額紙幣収容払出手段を含み、両替時、投入された前記高額紙幣を前記高額紙幣収容払出手段に収容するように搬送すると共に、換金時、前記換金額に含まれる前記高額紙幣を前記高額紙幣収容払出手段から払出すように搬送する高額紙幣搬送制御手段を具備することを特徴とする。
【００１５】
請求項３記載の発明は、上記請求項１記載の発明において、前記景品交換用記録媒体は、遊技媒体数を計数する計数機から発行され、前記遊技媒体の計数値に対応する景品遊技媒体数情報が記録されるカードまたはレシート媒体であり、前記第２の換算手段は、前記カードまたはレシート媒体から前記情報読取手段により読取られた前記景品遊技媒体数情報に基づき前記換金額を算出することを特徴とする。
【００１６】
請求項４記載の発明は、上記請求項１記載の発明において、前記景品交換用記録媒体は、遊技媒体数を計数する計数機から発行され、自記録媒体に対応する媒体識別情報が記録され、かつ前記遊技媒体の計数値に対応する景品遊技媒体数情報が当該媒体識別情報に対応して上位管理装置に登録されるカードまたはレシート媒体であり、前記第２の換算手段は、前記カードまたはレシート媒体から前記情報読取手段により読取られた前記媒体識別情報に対応する前記景品遊技媒体数情報を前記上位管理装置から取得し、該取得した景品遊技媒体数情報に基づき前記換金額を算出することを特徴とする。
【００１７】
請求項５記載の発明は、上記請求項１記載の発明において、前記景品交換用記録媒体は、上位管理装置に登録された会員コードを記録したうえで発行され、遊技媒体数を計数する計数機に挿入することにより、該遊技媒体の計数値が貯遊技媒体数として自記録媒体から読取られた前記会員コードに対応して前記上位管理装置に登録される会員カードであり、前記第２の換算手段は、前記会員カードから前記情報読取手段により読取られた前記会員コードに対応する前記貯遊技媒体数情報を前記上位管理装置から取得し、該取得した貯遊技媒体数から得られる等価の景品遊技媒体数に基づき前記換金額を算出することを特徴とする。
【００１８】
請求項６記載の発明は、上記請求項３記載の発明において、前記カードまたはレシート媒体の発行に合わせて前記計数機から送出される当該カードまたはレシート媒体に対応する景品交換用記録媒体情報を受信して登録すると共に、貨幣処理装置から景品交換用記録媒体情報を受信し、該受信した景品交換用記録媒体情報と、登録されている景品交換用記録媒体情報を比較することにより、貨幣処理装置が受け入れたカードまたはレシート媒体が適正であるか否かを判定し、該判定結果を貨幣処理装置に送信する前記上位管理装置に接続され、受け入れた前記景品交換用記録媒体から前記情報読取手段により読取られた前記景品交換用記録媒体情報を前記上位管理装置に送信する手段と、前記景品交換用記録媒体情報の送出に対応して、前記上位管理装置から受信される前記判定結果に基づき、自装置が受け入れているカードまたはレシート媒体が適正であるか否かを認識する手段とを具備することを特徴とする。
【００１９】
請求項７記載の発明は、上記請求項３記載の発明において、前記カードまたはレシート媒体の発行に合わせて前記計数機から送出される当該カードまたはレシート媒体に対応する景品交換用記録媒体情報を受信して登録すると共に、該登録されている景品交換用記録媒体情報を貨幣処理装置に送信する前記上位管理装置に接続され、前記上記管理装置から送信される前記登録済み景品交換用記録媒体情報を受信して保持する手段と、受け入れた前記カードまたはレシート媒体から前記情報読取手段により読取られた前記景品交換用記録媒体情報と、保持している前記登録済み景品交換用記録媒体情報を比較することにより、受け入れたカードまたはレシート媒体が適正であるか否かを判定する適否判定手段とを具備することを特徴とする。
【００２０】
請求項８記載の発明は、上記請求項４記載の発明において、前記カードまたはレシート媒体の発行に合わせて前記計数機から送出される当該カードまたはレシート媒体に対応する媒体識別情報を受信して登録すると共に、貨幣処理装置から媒体識別情報を受信し、該受信した媒体識別情報と、登録されている媒体識別情報を比較することにより、貨幣処理装置が受け入れたカードまたはレシート媒体が適正であるか否かを判定し、該判定結果を貨幣処理装置に送信する前記上位管理装置に接続され、受け入れた前記景品交換用記録媒体から前記情報読取手段により読取られた前記媒体識別情報を前記上位管理装置に送信する手段と、前記媒体識別情報の送出に対応して、前記上位管理装置から受信される前記判定結果に基づき、自装置が受け入れているカードまたはレシート媒体が適正であるか否かを認識する手段とを具備することを特徴とする。
【００２１】
請求項９記載の発明は、上記請求項５記載の発明において、貨幣処理装置から受入れられた会員カードに記録された会員コードを受信し、該受信した会員コードと、登録されている会員コードを比較することにより、貨幣処理装置が受け入れた会員カードが適正であるか否かを判定し、該判定結果を貨幣処理装置に送信する前記上位管理装置に接続され、受け入れた前記会員カードから前記情報読取手段により読取られた前記会員コードを前記上位管理装置に送信する手段と、前記会員コードの送出に対応して、前記上位管理装置から受信される前記判定結果に基づき、自装置が受け入れている会員カードが適正であるか否かを認識する手段とを具備することを特徴とする。
【００２２】
請求項１０記載の発明は、上記請求項１記載の発明において、景品遊技媒体数を現金に換算する際の換金率を設定する換金率設定手段を具備し、前記第２の換算手段は、前記換金率設定手段により設定された換金率に基づき前記換金額を算出することを特徴とする。
【００２３】
請求項１１記載の発明は、上記請求項１記載の発明において、景品遊技媒体数を現金に換算する際の換金率を設定する換金率設定手段を有する上位管理装置に接続され、前記第２の換算手段は、前記上位管理装置の前記換金率設定手段により設定された換金率に基づき前記換金金額を算出することを特徴とする。
【発明の効果】
【００２４】
本発明によれば、投入された紙幣を両替金に換算し、該両替金に相当する各金種の貨幣を該当する各貨幣収容払出手段から払出す両替機能と、景品交換用記録媒体から読取った情報によって特定される景品遊技媒体数を等価の換金額に換算し、該換金額に相当する各金種の貨幣を該当する各貨幣収容払出手段から払出す換金機能とを有するため、投入された紙幣の両替と、挿入された景品交換用記録媒体に基づく景品遊技媒体数の現金化に対して遊技ホール内に設置された貨幣処理装置１台で対応でき、遊技ホールとは別に景品交換所に現金を用意する必要性を無くして現金管理の手間を大幅に軽減できる。
【００２５】
望ましくは、本発明では、両替時に投入される、両替金としての払出し対象となり得ない高額紙幣を該当する高額紙幣収容払出手段に収容するように搬送すると共に、換金時、換金額に含まれる上記高額紙幣を上記高額紙幣収容払出手段から払出すように搬送する高額紙幣搬送制御手段を設けた構成としても良く、この場合には、両替時に投入された高額紙幣を、景品交換用記録媒体に基づく景品遊技媒体の換金時に払出す高額紙幣として再利用することができ、遊技ホールにおける高額紙幣の資金効率を向上させ、景品遊技媒体の現金化に要する高額紙幣の準備金をより少額に抑え得るなど、遊技ホールの資金運用を著しく改善できる。
【００２６】
一方、遊技客は、例えば、遊技媒体数を計数する計数機から発行され、遊技媒体の計数値に対応する景品遊技媒体数情報が記録されるカードまたはレシート媒体から成る景品交換用記録媒体を貨幣処理装置に挿入することにより、当該景品遊技媒体数に対応する現金を受け取ることができ、獲得遊技媒体を現金化するために遊技ホール外の景品交換所まで行く必要がなく、当該現金化のための手間を大幅に軽減できる。
【発明を実施するための最良の形態】
【００２７】
以下、本発明の実施形態について添付図面を参照して詳細に説明する。
【００２８】
図１は、本発明に係わる遊技システムの全体構成を示すブロック図である。
【００２９】
この遊技システムは、パチンコ店等の遊技ホールに設置されるものであり、「島」と呼ばれるグループ毎に複数の遊技機（パチンコ機、パチスロ機等）１０を配設している。各遊技機１０には、会員カード、プリペイドカード、現金等を受け入れて遊技媒体（パチンコ玉、メダル等）を貸し出すカード処理ユニット１５がそれぞれ配設されている。
【００３０】
島端には、紙幣を受け入れて該紙幣より低額の紙幣あるいは硬貨を両替金として払出す両替機能を有する両替機２０、遊技客が遊技機１０で獲得した遊技媒体（パチンコ玉，メダル：以下、パチンコ玉を前提とする。）の数を計数すると共に、該玉計数値や、当該玉計数値に対応する景品遊技媒体数の情報等を記録した玉数レシートやカード等の景品交換用記録媒体を発行する計数機４０が設置される。なお、景品交換用記録媒体を発行する機能は、計数機４０と別体（計数機４０に接続される発行機）であっても良い。
【００３１】
カード処理ユニット１５、両替機２０、計数機４０は、島コントローラ６０に接続され、更に、島コントローラ６０は、遊技ホールの事務所内に設置されるターミナル・コントローラ（以下、Ｔ／Ｃという）７０とローカル・エリア・ネットワーク（ＬＡＮ）８０を介して接続されている。
【００３２】
Ｔ／Ｃ７０は、遊技システム全体を制御統括するコントローラであり、例えば、図２に示すように、主制御部であるＣＰＵ７１、ハードディスクなどの記憶装置７２、動作プログラム等を記憶するメモリ７３、マウスやキーボード等の入力装置７４、ＣＲＴ等の表示装置７５、ＬＡＮ８０を介して両替機２０をはじめとする被管理装置との通信を行う通信部７６を備えたＰＣ（パーソナル・コンピュータ）等の情報処理端末により構成される。
【００３３】
Ｔ／Ｃ７０において、メモリ７３は、度数管理テーブルとして、例えば、会員管理テーブル７３１を有しており、この会員管理テーブル７３１を用いて会員情報を管理している。
【００３４】
会員管理テーブル７３１には、図３に示すように、会員コード（識別データ）別に、貯玉数、残度数、来店回数、来店ポイント、入会日（月／日）、住所、氏名、電話番号および追加入金額、デビット入金などの各種データが記憶されている。
【００３５】
Ｔ／Ｃ７０において、会員管理テーブル７３１を用いた情報管理を受けるには、会員カードが必要である。
【００３６】
会員カードは、会員登録処理を行うことによって発行される。会員登録を希望する遊技客は、申し込み書に所定事項を記入して担当の店員に渡す。店員は、所定事項をＴ／Ｃ７０に登録して該利用者を会員として登録し、Ｔ／Ｃ７０に会員管理テーブル７３１（図３参照）を作成した後、会員カードを遊技客（会員）に手渡す。
【００３７】
会員が会員カードをカード発行機（図示せず）に挿入し、貨幣またはデビットカードを投入し、所定の操作を行って価値付けを指示すると、会員カードの会員ＩＤ（会員コード）、価値付けされた有価価値（発行金額に対応する残度数）などがカード発行機からＴ／Ｃ７０に送られ、Ｔ／Ｃ７０の会員管理テーブル７３１に有価価値等が会員ＩＤに対応付けられて書き込まれ、以後、該会員カードはカード処理ユニット１５などで使用可能になる。
【００３８】
図１のシステム構成において、遊技客が、価値付け後の会員カード（あるいは、プリペイドカード）をカード処理ユニット１５に挿入して貸出操作を行うと、遊技機１０の玉投出機構（パチンコ機の場合）が作動して、予め設定された貸出単位分のパチンコ玉が遊技機１０の上皿へと投出される。この投出代金は、カードの識別データ（カードＩＤ）に対応して予め会員管理テーブル７３１に登録されている度数から減算される。
【００３９】
カード処理ユニット１５に会員カードが挿入された状態で、貨幣が直接投入された場合には、貨幣を受け入れて、会員カードに価値を追加することも可能である。
【００４０】
この他、カード処理ユニット１５は、貨幣を受け入れて、パチンコ玉を貸し出す機能も有している。
【００４１】
その際、遊技客が例えば千円単位で遊技を行いたいのに、高額紙幣（例えば、１万円札）しか持っていない場合には、両替機２０の設置場所までいって高額紙幣を低額紙幣や硬貨等を含む現金に両替すれば良い。
【００４２】
遊技客は、このようにしてカード処理ユニット１５から貸し出された玉を用いて、遊技機１０において遊技を行うことができる。
【００４３】
なお、カード処理ユニット１５と両替機２０との間には、紙幣搬送路１５０（図１参照）が設けられており、上述した追加価値付け等に際してカード処理ユニット１５に投入された現金は、遊技客の目に触れないように遊技機１０等の背面側に設置された図示しない搬送機構によって紙幣搬送路１５０中を両替機２０まで搬送され、当該紙幣に対応した収納払出部（図６参照）へと収容される。
【００４４】
遊技機１０での遊技によって玉を獲得した遊技客は、該獲得した玉を計数機４０で計数し、計数機４０若しくは該計数機４０とは別体の発行機（図示せず）から発行される玉計数値に対応した景品遊技媒体数（景品遊技媒体の種類及び数）を特定可能な情報を記録した景品交換用記録媒体を受取る。
【００４５】
計数機４０が発行する景品交換用記録媒体としては、例えば、図４（ａ）示すように、玉計数値、計数日時、計数機（自装置）の号機番号、玉計数値に対応する景品遊技媒体数等の情報等を文字情報とバーコード情報として印字しかつ磁気情報としても保持する玉数レシート９５ａがある。
【００４６】
また、計数機４０が発行する景品交換用記録媒体は、図４（ｂ）に示すように、玉数レシート９５ａと同様の情報を自カードＩＤと共に磁気記録したカード（景品交換カード）９５ｂであっても良い。
【００４７】
遊技客は、計数機４０から発行された景品交換用記録媒体９５（９５ａ，９５ｂ）を両替機２０に挿入することにより、該景品交換用記録媒体９５に記録された情報によって特定される景品遊技媒体数分の価値を現金に交換（換金）することができる。
【００４８】
すなわち、本発明の遊技システム（図１参照）において、両替機２０は、上述した両替機能の他、景品交換用記録媒体９５を用いた換金機能もサポートしている。
【００４９】
図５は、本発明に係わる両替機２０の外観構成を示す図であり、図６は、当該両替機２０の機能構成を示すブロック図である。
【００５０】
図５及び図６に示すように、両替機２０は、上述した会員カード（図６で符号９１で示す）や、玉数レシート９５ａあるいは景品交換カード９５ｂ等の景品交換用記録媒体を挿入（会員カード９１の場合は返却も行う）する景品交換用記録媒体挿入口２０１、景品交換用記録媒体挿入口２０１から挿入された景品交換用記録媒体に記録された情報を読取る情報読取部２０２、情報を表示するパネル（液晶パネル）と該パネルに触れることにより情報を入力する機能を有するタッチパネルから成り、両替操作や景品交換用記録媒体を用いた換金操作のためのガイダンス等の各種情報を表示すると共に、遊技客による各種操作（例えば、後述する実施例３において、会員が貯玉を使って換金する際の換金する数を選択する操作等）に基づく入力を受付ける表示／操作部２０３、換金要求を指示する換金ボタン２０４、換金あるいは両替の取消要求を指示する取消ボタン２０５、例えば、本体内部（筐体内部）に設けられ、後述する換金換算パターン，景品遊技媒体用換金率，遊技媒体用換金率を対応する各テーブル（２２０３，２２０４，２２０５）に各々設定するなどの操作を行う操作部２０６、動作プログラム等の各種情報を記憶する記憶部２０７、Ｔ／Ｃ７０や島コントローラ６０等との通信の制御を行う通信部２０８、カード処理ユニット１５から紙幣搬送路１５０を通じて回収される紙幣を取り込む紙幣取込部２０９、両替する紙幣を挿入する紙幣挿入口２１０、紙幣挿入口２１０から挿入された紙幣を識別する紙幣識別部２１１、紙幣識別部２１１で識別された紙幣が再利用可能な状態か否かについての正損判定を行う正損判定部２１２、１万円札（高額紙幣）を収容し、換金処理時の払出指示に応じて該高額紙幣を払出す高額紙幣収容払出部２１３、千円札（低額紙幣）を収容し、両替処理時または換金処理時の払出指示に応じて当該低額紙幣を払出す低額紙幣収容払出部２１４、紙幣収容払出部２１３及び２１４から払出される紙幣を排出する紙幣払出口２１５、５００円硬貨を収容し、両替処理時または換金処理時の払出指示に応じて当該硬貨を払出す高額硬貨収容払出部２１６、１００円硬貨を収容し、両替処理時または換金処理時の払出指示に応じて当該硬貨を払出す低額硬貨収容払出部２１７、硬貨収容払出部２１６及び２１７から払い出された硬貨を排出する硬貨払出口２１８、紙幣識別部２１１の識別結果及び正損判定部２１２の判定結果に基づき、両替時に投入された紙幣のうち、５千円札、２千円札及び再利用不能な紙幣を回収すると共に、紙幣収容払出部２１３及び２１４の収容枚数が満杯になった時（例えば、図示しないセンサ等により検知する）に当該紙幣を回収する紙幣回収部２１９、両替機２０全体の制御を行う制御部２２０を具備して構成される。
【００５１】
制御部２２０には、挿入された紙幣をより低額の紙幣または硬貨に両替する両替処理を行う両替処理部２２０１、景品交換用記録媒体９５から読取った（あるいは、読取った情報により特定された）景品遊技媒体数情報に基づき該景品遊技媒体数に対応する現金を払出す換金処理を行う換金処理部２２０２、両替のために投入された紙幣をどの金種の組み合わせで両替するかの両替換算パターンを記憶した両替換算テーブル２２０３、景品遊技媒体の種別毎に幾らの金額で換金するかについての換金率を記憶した景品遊技媒体換金率テーブル２２０４、遊技媒体の種別毎に幾らの金額で換金するかについての換金率を記憶した遊技媒体換金率テーブル２２０５が設けられる。
【００５２】
次に、両替機２０の処理動作について説明する。
【００５３】
図７は、本発明に係わる両替機２０における両替処理動作を示すフローチャートである。本処理は、紙幣回収部２１９が満杯でない場合の処理である。紙幣回収部２１９が満杯の時は、エラーダウンし、処理を行えないようになる。
【００５４】
図７に示すように、両替機２０は、待機中（ステップＳ１０１）、紙幣挿入口２１０また景品交換用記録媒体挿入口２０１から媒体が挿入されたか否かを監視しており（ステップＳ１０２）、媒体が挿入されると（ステップＳ１０２ＹＥＳ）、挿入された媒体が両替用の紙幣であるか、景品交換用記録媒体であるかを判定する（ステップＳ１０３）。
【００５５】
ここで、挿入媒体が景品交換用記録媒体である場合（ステップＳ１０３で景品交換用記録媒体）、換金処理部２２０２は換金処理（ステップＳ１２１）を行う。なお、換金処理については、後で、各実施例に分けて詳しく説明する。
【００５６】
一方、挿入された媒体が両替用の紙幣である場合（ステップＳ１０３で紙幣）、両替処理部２２０１は両替処理を実行する。
【００５７】
この両替処理では、まず、紙幣挿入口２０１から挿入された紙幣を紙幣識別部２１１で識別し（ステップＳ１０４）、次いで、両替処理部２２０１が該識別結果に基づき挿入紙幣が１万円札または千円札であるか否かを判定する（ステップＳ１０５）。
【００５８】
ここで、挿入紙幣が１万円札または千円札であった場合（ステップＳ１０５ＹＥＳ）、両替処理部２２０１は、挿入紙幣が再利用可能な状態か否かに関する正損判定を行う正損判定部２１２の判定結果を取得し、該判定結果に基づき当該挿入紙幣が再利用可能な状態か否かをチェックする（ステップＳ１０６）。
【００５９】
ここで、挿入紙幣が再利用可能な状態であれば（ステップＳ１０６で良）、更に、該挿入貨幣に対応する紙幣収容払出部（高額紙幣収容払出部２１３または低額紙幣収容払出部２１４）が満杯であるか否かをチェックする（ステップＳ１０７）。
【００６０】
そして、挿入紙幣に対応する紙幣収容部が満杯でない場合（ステップＳ１０７ＮＯ）、両替処理部２２０１は、当該挿入紙幣を該当する紙幣収容払出部に収容するように制御する（ステップＳ１０８）。
【００６１】
この制御では、挿入紙幣が１万円札である場合には、該１万円札は搬送路Ｒ１１、Ｒ１２、Ｒ１３を通って高額紙幣収容払出部２１３に収容され、挿入紙幣が千円札である場合には、該千円札は、搬送路Ｒ１１、Ｒ１２、Ｒ１４を通って低額紙幣収容払出部２１４に収容される。
【００６２】
これに対して、挿入紙幣が１万円札または千円札でない場合（ステップＳ１０５ＮＯ）、次いで、両替処理部２２０１は、紙幣識別部２１１での紙幣識別結果に基づき挿入紙幣が５千円札または２千円札であるか否かを判定する（ステップＳ１３１）。
【００６３】
ここで、挿入紙幣が５千円札または２千円札でなかった場合（ステップＳ１３１ＮＯ）、エラー処理を行う（ステップＳ１４１）。
【００６４】
一方、挿入紙幣が５千円札または２千円札であった場合（ステップＳ１３１ＹＥＳ）、両替処理部２２０１は、当該挿入紙幣を搬送路Ｒ１１、Ｒ１２、Ｒ１５を経由して紙幣回収部２１９まで搬送し、該紙幣回収部２１９内に挿入紙幣を回収するように制御する（ステップＳ１３２）。
【００６５】
なお、挿入紙幣が１万円札または千円札であって、当該挿入紙幣が再利用可能な状態でないと判定された場合（ステップＳ１０６で否）、あるいは、当該挿入紙幣が再利用可能な状態であっても該当する紙幣収容払出部（高額紙幣収容払出部２１３または低額紙幣収容払出部２１４）が満杯である場合（ステップＳ１０７ＹＥＳ）には、両替処理部２２０１は、当該挿入紙幣を紙幣回収部２１９に収容するように制御する（ステップＳ１３２）。
【００６６】
上述の如く、両替時に挿入された紙幣を該当する紙幣収容払出部２１３，２１４に収容した後、あるいは紙幣回収部２１９に回収した後、両替処理部２２０１は、両替換算テーブル２２０３に記憶されている両替換算パターンを参照し、当該挿入紙幣の金額に相当する両替金を換算する。
【００６７】
ここで、両替換算テーブル２２０３には、例えば、１万円札を千円札１０枚に両替、千円札を５００円硬貨２枚または１００円硬貨１０枚に両替というような両替換算パターンが記憶されており、両替処理部２２０１は、上記両替金の換算処理において、挿入紙幣の金額に対応する両替紙幣または硬貨の金種及び数を決定する。上記両替換算パターンは、予め数パターンを設定しておき、遊技客が選択できるようにしても良い。
【００６８】
次いで、両替処理部２２０１は、上記決定に基づき、両替金の金種に対応する各貨幣収容払出部（紙幣収容払出部２１４，硬貨収容払出部２１６，２１７）に対して上記決定した数（金額）分の払出指示を送出し、これにより、払出し指示を受けた各貨幣収容払出部から、それぞれ、払出し指示金額分の紙幣あるいは硬貨を紙幣払出口２１５あるいは硬貨払出口２１８へと払出す（ステップＳ１１０）。
【００６９】
次に、本発明に係わる両替機２０の換金処理（図７におけるステップＳ１２１に相当）動作について各実施例の分けて詳細に説明する。
【実施例１】
【００７０】
実施例１に係わる両替機２０は、図１のシステム構成における計数機４０（若しくは、これに接続される発行機）から発行され、遊技媒体の計数値に対応する景品遊技媒体数情報が記録される玉数レシート９５ａ、景品交換カード９５ｂ等の景品交換用記録媒体（以下の説明では、景品交換カード９５ｂとする）を受け入れて換金処理を行うものである。
【００７１】
ここでは、まず、図８に示す通信制御シーケンスを参照して、実施例１に係わる両替機２０での換金処理に至るまでの計数機４０、Ｔ／Ｃ７０及び両替機２０の三者間の通信制御について説明する。
【００７２】
図８に示すように、両替機２０での換金処理に先立って、計数機４０は、遊技客が遊技媒体（この例では、パチンコ玉）を投入するのを受けて該玉を計数する（ステップＳ４１）。
【００７３】
玉の計数が終わると、機内に予め準備している景品交換カード９５ｂに対応する換金予約番号を発行するなどのカード発行準備を行ったうえで（ステップＳ４２ａ）、上記換金予約番号等の景品交換用記録媒体情報と、玉計数値並びに当該玉計数値に対応する景品遊技媒体数情報（種別及び個数）等の情報を当該景品交換カード９５ｂに記録し（ステップＳ４３ａ）、該記録した情報のうちの景品交換用記録媒体情報をＴ／Ｃ７０に送出する。
【００７４】
ここで、計数機４０における景品遊技媒体数算出処理の一例について図９を参照して説明する。
【００７５】
図９の例では、計数機４０が持つ景品交換換算テーブルに、大景品＝１２５０個、中景品＝２５０個、小景品＝５０個という玉対景品遊技媒体交換レートが設定されている時に、玉計数値４４１０個の計数結果が得られている。
【００７６】
この場合、計数機４０は、玉計数値＝４４１０を大景品に対応する交換玉数＝１２５０で除算し、この時の除算結果である３余り６６０から、大景品数＝３を求め、次いで、上記除算結果の余り数＝６６０を中景品に対応する交換玉数＝２５０で除算し、この時の除算結果である２余り１６０から、中景品数＝２を求め、更に、上記除算結果の余り数＝１６０を小景品に対応する交換玉数＝５０で除算し、この時の除算結果である３余り１０から、小景品数＝３と、景品には交換できない余り玉（端玉）数＝１０を求める。
【００７７】
そして、求めた結果である景品遊技媒体数（大景品数＝３、中景品数＝２、小景品数＝３、端玉数１０）の情報を発行前の景品交換カード９５ｂに記録する。
【００７８】
上述の如く、景品遊技媒体数情報等を発行前の景品交換カード９５ｂに記録し、かつ当該景品交換カード９５ｂに関連付けられた景品交換用記録媒体情報をＴ／Ｃ７０に送出した後、計数機４０は、Ｔ／Ｃ７０から上記景品交換用記録媒体情報の登録終了通知が受信されるのを待って、当該景品交換用記録媒体情報が関連付けられた景品交換カード９５ｂを発行する（ステップＳ４４ａ）。
【００７９】
これに対し、Ｔ／Ｃ７０は、計数機４０から景品交換用記録媒体情報を受信すると、該景品交換用記録媒体情報を換金対象として登録し（ステップＳ７１ａ）、該登録が終わると登録終了通知を計数機４０に送出し、その後、両替機２０からの換金要求受信待ちとなる。
【００８０】
一方、両替機２０は、計数機４０から発行された上記景品交換カード９５ｂが遊技客によって景品交換用記録媒体挿入口２０１に挿入されると（ステップＳ２１ａ）、該挿入された景品交換カード９５ｂから情報読取部２０２によって景品交換用記録媒体情報を読取り（ステップＳ２２ａ）、該景品交換用記録媒体情報を換金要求と共にＴ／Ｃ７０に送出する。
【００８１】
Ｔ／Ｃ７０は、両替機２０から景品交換用記録媒体情報と換金要求を受信すると、該受信した景品交換用記録媒体情報と、換金対象として登録されている景品交換用記録媒体情報とを比較照合する（景品交換用記録媒体情報、これに対応する玉計数値及び景品遊技媒体数情報が互いに一致するものがあるか否か）ことにより、両替機２０が受入れ中の景品交換用記録媒体が適正であるか否かの適否判定を行い（ステップＳ７２ａ）、適正と判定された場合には（ステップＳ７２ａで適）、適正である旨の判定結果を両替機２０に送出し、適正でない場合（ステップＳ７２ａで否）には、不適正である旨の判定結果を両替機２０に送出する。
【００８２】
一方、両替機２０は、景品交換用記録媒体情報及び換金要求送出後、Ｔ／Ｃ７０から上記いずれかの判定結果を受信し、該受信した判定結果から受け入れ中の景品交換カード９５ｂが適正であると認識した場合には換金処理（ステップＳ２３ａ）を開始し、不適正であると認識した場合にはエラー処理を行う。
【００８３】
なお、図８の例では、両替機２０が受け入れた景品交換用記録媒体が適正であるか否かの適否判定は、Ｔ／Ｃ７０において、両替機２０から受信した景品交換用記録媒体情報と、登録されている景品交換用記録媒体情報を比較することにより行っているが、この適否判定は他の方法でも実現できる。
【００８４】
一例を挙げれば、Ｔ／Ｃ７０では、景品交換用記録媒体の発行に合わせて計数機４０から送出される当該景品交換用記録媒体に対応する景品交換用記録媒体情報を受信して登録すると共に、該登録されている景品交換用記録媒体情報を両替機２０に送信する一方、両替機２０側には、Ｔ／Ｃ７０から送られてくる上記登録済み景品交換用記録媒体情報を受信して保持する手段と、受け入れた景品交換用記録媒体から読取られた景品交換用記録媒体情報と、保持している登録済み景品交換用記録媒体情報を比較することにより、受け入れた景品交換用記録媒体が適正であるか否かを判定する適否判定手段を設ける構成が考えられる。
【００８５】
次に、実施例１に係わる両替機２０の換金処理（ステップＳ２３ａ：図７におけるＳ１２１の相当）についてより詳細に説明する。
【００８６】
本実施例に係わる両替機２０は、図８に示した制御シーケンスに従い、計数機４０からの発行時に当該記録媒体自体に景品遊技媒体数情報が記録された景品交換用記録媒体を受け入れて換金処理を行うものである。
【００８７】
図１０は、実施例１に係わる両替機２０の換金処理動作を示すフローチャートである。
【００８８】
図１０に示すように、本実施例の両替機２０は、挿入媒体が景品交換用記録媒体であると判定された（ステップＳ１０３で景品交換用記録媒体：図７参照）後の換金処理（ステップＳ１２１）において、まず、情報読取部２０２が、挿入された景品交換用記録媒体（この例では、景品交換カード９５ｂ）から情報（景品交換用記録媒体情報、景品遊技媒体数情報等）を読取り（ステップＳ２０１）、該読取った情報のうちの景品交換用記録媒体情報を換金要求と共に通信部２０８を通じてＴ／Ｃ７０に送出する（ステップＳ２０２）。
【００８９】
これに対し、Ｔ／Ｃ７０は、図８に示したように、両替機２０から景品交換用記録媒体情報と換金要求を受信すると、該受信した景品交換用記録媒体情報と、換金対象として登録されている景品交換用記録媒体情報とを比較照合することにより、両替機２０が受入れ中の景品交換用記録媒体が適正であるか否かの適否判定を行い（ステップＳ７２ａ）、適正と判定された場合には（ステップＳ７２ａで適）、適正である旨の判定結果（適正）を両替機２０に送出し、適正でない場合（ステップＳ７２ａで否）には、不適正である旨の判定結果（不適正）を両替機２０に送出する。
【００９０】
一方、両替機２０では、景品交換用記録媒体情報及び換金要求送出後、換金処理部２２０２が、Ｔ／Ｃ７０から上記判定結果（適正）または判定結果（不適正）のいずれかが受信されたかによって景品交換カード９５ｂが正規のものであるか否かを認識する（ステップＳ２０３）。
【００９１】
ここで、挿入された景品交換カード９５ｂが正規のものでないと認識された場合（ステップＳ２０３ＮＯ）、換金処理部２２０２は、エラー処理（ステップＳ２２１）を行い、換金処理を終了する。
【００９２】
これに対し、挿入された景品交換カード９５ｂが正規のものであると認識された場合（ステップＳ２０３ＹＥＳ）、換金処理部２２０２は、換金率テーブル２２０４に設定された換金率を参照して、上記ステップＳ２０１で読取った景品遊技媒体数情報に対応する換金額を算出する（ステップＳ２０４）。
【００９３】
この換金額算出処理の一例について図１１を参照して説明する。
【００９４】
図１１の例では、景品遊技媒体換金率テーブル２２０４に、大景品＝５０００円、中景品＝１０００円、小景品＝２００円という換金率が設定されると共に、遊技媒体換金率テーブル２２０５には、玉１個に対して４．０円という換金率が設定されている条件下で、景品交換カード９５ｂから読取られた景品遊技媒体数が大景品３、中景品２、小景品３、端玉数１０となっている。
【００９５】
この場合、換金処理部２２０２は、景品遊技媒体換金率テーブル２２０４における大景品に対する換金金額＝５０００（円）に大景品数＝３を乗じて１５０００（円）を算出し、次いで、中景品に対する換金金額＝１０００（円）に中景品数＝２を乗じて２０００（円）を算出し、更に、小景品に対する換金金額＝２００（円）に小景品数＝３を乗じて６００（円）を算出した後、これら各乗算値を加算することにより、景品遊技媒体数「大景品＝３、中景品＝２、小景品＝３」に対応した換金額＝１７６００（円）を算出する。
【００９６】
また、換金処理部２２０２は、遊技媒体換金率テーブル２２０５における遊技媒体（この例では、玉）１個に対する換金金額４．０（円）に端玉数＝１０を乗じることにより、該端玉数に対応した換金額＝４０（円）を算出する。
【００９７】
更に、換金処理部２２０２は、既に算出した景品遊技媒体数「大景品＝３、中景品＝２、小景品＝３」に対応した換金額＝１７６００に、「端玉数＝１０」に対応した換金額＝４０（円）を加算することにより、合計換金額＝１７６４０（円）を算出する。
【００９８】
このように、遊技媒体換金率テーブル２２０５を持つことによって、遊技媒体の数が景品遊技媒体の交換に満たない端数を含む場合でも、該端数分も含めて換金することができる。
【００９９】
なお、遊技媒体換金率テーブル２２０５には、上述した玉に限らず、メダルの換金率（例えば、２０円／枚）も登録しておくことにより、端数メダルの換金にも対応できることは言うまでもない。
【０１００】
上記ステップＳ２０４において、換金額を算出した後、換金処理部２２０２は、当該換金額から払出す金種及び数を割り出し、該金種に対応した出金処理を行う。
【０１０１】
この出金処理において、換金処理部２２０２は、高額紙幣（１万円）、低額紙幣（千円）及び硬貨（５００円，１００円）の払出しが必要かどうかを順次チェックしていき（ステップＳ２０５，Ｓ２０７，Ｓ２０９）、上記各紙幣あるいは硬貨の払出しが必要とされた場合（ステップＳ２０５ＹＥＳ，Ｓ２０７ＹＥＳ，Ｓ２０９ＹＥＳ）は、Ｔ／Ｃ７０との通信を経て当該各紙幣あるいは硬貨についての出金処理をそれぞれ実施する（ステップＳ２０６，Ｓ２０８，Ｓ２１０）。
【０１０２】
上記出金処理が終了した後、換金処理部２２０２は、上記換金額から割り出した各金種に対応する各貨幣収容払出部（紙幣収容払出部２１３，２１４，硬貨収容払出部２１６，２１７）に対して当該各金種毎の金額分の払出指示を送出し、これにより、払出し指示を受けた各貨幣収容払出部から、それぞれ、払出し指示金額分の紙幣あるいは硬貨を紙幣払出口２１５あるいは硬貨払出口２１８へと払出す（ステップＳ２１１）。
【０１０３】
具体的な例を挙げると、図１１に示すように、換金額＝１７６４０円が算出された場合、１万円札×１枚，千円札×７枚、５００円硬貨×１枚、１００円硬貨１枚、１０円硬貨４枚という金種及び金額を割り出して、高額紙幣収容払出部２１３から１万円札１枚、低額紙幣収容払出部２１４から千円札７枚をそれぞれ払出して紙幣払出口２１５へ排出すると共に、硬貨収容払出部２１６から５００円硬貨１枚、硬貨収容払出部２１７から１００円硬貨１枚、更には、１０円硬貨を収容する硬貨収容払出部（図示せず）から１０円硬貨４枚をそれぞれ払出して硬貨払出口２１８へ排出する。
【０１０４】
なお、１０円硬貨を収容する硬貨収容払出部は、図６の構成中には開示していないが、上述した如く、換金額を１０円単位の額まで払い出す場合には付加する必要がある。１０円未満（１円単位）の換金額については、例えば、繰り上げて払い出すようにすれば良い。
【０１０５】
図７における両替処理及び図１０における換金処理からも分かるように、本発明に係わる両替機２０は、両替処理機能と換金処理機能を併有している。
【０１０６】
従って、両替機能しか持たない通常の両替機では、両替のために挿入される最高額紙幣（１万円札）は両替金としての払出し対象とはなり得ず、機内に収容されたままであるのに対して、本発明の両替機２０では、両替時に挿入された最高額紙幣（以下、高額紙幣）は、景品交換用記録媒体の挿入に基づく換金処理時に払出す現金として再利用することができる。
【０１０７】
かかる高額紙幣の再利用を実現すべく、両替機２０の制御部２２０は、両替時に投入された高額紙幣を高額紙幣収容払出部２１３に収容すると共に、景品交換用記録媒体に基づく換金処理時の換金額に高額紙幣が含まれる場合、該高額紙幣を高額紙幣収容払出部２１３から払出すように搬送する高額紙幣リサイクル搬送制御機能をサポートしている。
【０１０８】
図１２は、本発明に係わる両替機２０における高額紙幣リサイクル時の搬送イメージを示す概念図である。
【０１０９】
図１２に示すように、この両替機２０において、制御部２２０は、両替に際して紙幣投入口２１０から挿入されて紙幣識別部２１１を通過した高額紙幣を、搬送路Ｒ１１、Ｒ１２、Ｒ１３（両替時高額紙幣収容ルート）を通じて高額紙幣収容払出部２１３内に収容するように搬送し（但し、正損判定部２１２で良と判定された場合）、一方、景品交換用記録媒体挿入口２０１から挿入された景品交換用記録媒体から情報読取部２０２により情報を読取り、該読取られた情報によって特定される景品遊技媒体数情報に基づいて換金額を算出する際、該換金額に高額紙幣が含まれる場合には、該高額紙幣を高額紙幣収容払出部２１３から必要金額分だけ繰出し、排出路Ｒ２１、Ｒ２２（換金時高額紙幣払出ルート）を経由して紙幣払出口２１５へと排出させるように制御する。
【０１１０】
図１２に示すような搬送制御によって、この両替機２０では、両替時に投入される、両替金としては払出し得ない高額紙幣を、景品交換用記録媒体に基づく換金時に払出す高額紙幣として再利用でき、遊技ホールにおける高額紙幣の資金効率を向上させることができる。
【０１１１】
具体的には、両替時に投入された高額紙幣を換金時にリサイクルすることにより、遊技ホールでは、遊技客が獲得した遊技媒体の現金化に要する高額紙幣の準備金をより少額に抑えることができるなど、資金運用が良くなる。また、高額紙幣の補充、回収作業の負荷が軽減できる。
【０１１２】
また、景品遊技媒体数を特定可能な情報を記録した景品交換用記録媒体を介して換金処理を行うため、遊技ホールでは、特殊景品を準備するための資金を節減できる。
【０１１３】
また、特殊景品を用いないため、該特殊景品を買い上げるための現金を景品交換所に用意する必要が無くなり、その分、現金管理の手間も省ける。
【０１１４】
また、遊技客は、遊技媒体数を計数する計数機から発行される玉数レシート９５ａや、景品交換カード９５ｂ等の景品交換用記録媒体を持って遊技ホール内を移動し、該遊技ホール内に設置された両替機２０に当該景品交換用記録媒体を挿入するだけで現金を受け取ることができ、特殊景品を現金化するために遊技ホール外の景品交換所まで行く必要がなく、特殊景品を現金化するための手間を大幅に軽減できる。
【実施例２】
【０１１５】
実施例２に係わる両替機（便宜的に、２０ｂという）は、図１のシステム構成における計数機４０から発行される記録媒体であって、該計数機４０による遊技媒体の計数値に対応する景品遊技媒体数情報が当該記録媒体の媒体識別情報に対応してＴ／Ｃ７０に登録される玉数レシート９５ａ、景品交換カード９５ｂ等の景品交換用記録媒体（以下の説明では、景品交換カード９５ｂとする）を受け入れて換金処理を行うものである。
【０１１６】
ここでは、まず、図１３に示す通信制御シーケンスを参照して、実施例２に係わる両替機２０ｂでの換金処理に至るまでの計数機４０、Ｔ／Ｃ７０及び両替機２０ｂの三者間の通信制御について説明する。
【０１１７】
図１３に示すように、両替機２０ｂでの換金処理に先立って、計数機４０は、遊技客が遊技媒体（この例では、パチンコ玉）を投入するのを受けて該玉を計数する（ステップＳ４１）。
【０１１８】
玉の計数が終わると、機内に予め準備している景品交換カード９５ｂに対応するカードＩＤを発行するなどのカード発行準備を整えたうえで（ステップＳ４２ｂ）、該カードＩＤと、玉計数値並びに当該玉計数値に対応する景品遊技媒体数（算出方法は、図９参照）等の情報を当該景品交換カード９５ｂに記録し（ステップＳ４３ｂ）、該記録した情報のうちのカードＩＤ及び景品遊技媒体数の情報をＴ／Ｃ７０に送出する。
【０１１９】
その後、計数機４０は、Ｔ／Ｃ７０から上記カードＩＤの登録終了通知が受信されるのを待って、当該カードＩＤが関連付けられた景品交換カード９５ｂを発行する（ステップＳ４４ｂ）。
【０１２０】
これに対し、Ｔ／Ｃ７０は、計数機４０からカードＩＤ及び景品遊技媒体数情報を受信すると、該カードＩＤに対応付けて当該景品遊技媒体数情報をデータベース（ＤＢ）に登録し（ステップＳ７１ｂ）、該登録が終わると登録終了通知を計数機４０に送出し、その後、両替機２０ｂからの換金要求受信待ちとなる。
【０１２１】
一方、両替機２０ｂは、計数機４０から発行された上記景品交換カード９５ｂが遊技客によって景品交換用記録媒体挿入口２０１に挿入されると（ステップＳ２１ｂ）、該挿入された景品交換カード９５ｂから情報読取部２０２によってカードＩＤを読取り（ステップＳ２２ｂ）、該カードＩＤを換金要求と共にＴ／Ｃ７０に送出する。
【０１２２】
Ｔ／Ｃ７０は、両替機２０ｂからカードＩＤと換金要求を受信すると、該受信したカードＩＤと、ＤＢに登録されているカードＩＤとを比較照合する（カードＩＤ、及びこれに対応する玉計数値及び景品遊技媒体数情報が互いに一致するものがあるか否か）ことにより、両替機２０ｂが受入れ中の景品交換用記録媒体が適正であるか否かの適否判定を行なう（ステップＳ７２ｂ）。
【０１２３】
ここで、適正と判定された場合には（ステップＳ７２ｂで適）、当該カードＩＤに対応する景品遊技媒体数情報をＤＢから検索し（ステップＳ７３）、該景品遊技媒体数情報を適正である旨の判定結果と共に両替機２０ｂに送出し、適正でない場合（ステップＳ７２ｂで否）には、不適正である旨の判定結果を両替機２０ｂに送出する。
【０１２４】
一方、両替機２０ｂは、景品交換用記録媒体情報及び換金要求送出後、Ｔ／Ｃ７０から上記いずれかの判定結果を受信し、該受信した判定結果から受け入れ中の景品交換カード９５ｂが適正であると認識した場合には、一緒に受信した景品遊技媒体数情報を用いて換金処理（ステップＳ２３ｂ）を開始し、不適正であると認識した場合にはエラー処理を行う。
【０１２５】
次に、実施例２に係わる両替機２０ｂの換金処理（ステップＳ２３ｂ：図７におけるＳ１２１の相当）についてより詳細に説明する。
【０１２６】
本実施例に係わる両替機２０ｂは、図１３に示した制御シーケンスに従い、計数機４０からの発行時に当該記録媒体の識別情報が記録され、かつ該計数機４０による遊技媒体の計数値に対応する景品遊技媒体数情報が上記記録媒体識別情報に対応してＴ／Ｃ７０に登録される景品交換用記録媒体を受け入れて換金処理を行うものである。
【０１２７】
図１４は、実施例２に係わる両替機２０ｂの換金処理動作を示すフローチャートである。なお、図１４において、図１０に示す各処理と同様の処理については同一のステップ符号を付している。
【０１２８】
図１４に示すように、本実施例の両替機２０ｂは、挿入媒体が景品交換用記録媒体であると判定された（ステップＳ１０３で景品交換用記録媒体：図７参照）後の換金処理（ステップＳ１２１）において、まず、情報読取部２０２が、挿入された景品交換用記録媒体（この例では、景品交換カード９５ｂ）から情報（カードＩＤ）を読取り（ステップＳ２０１ｂ）、該読取ったカードＩＤを換金要求と共に通信部２０８を通じてＴ／Ｃ７０に送出する（ステップＳ２０２ｂ）。
【０１２９】
これに対し、Ｔ／Ｃ７０は、図１３に示したように、両替機２０ｂからカードＩＤと換金要求を受信すると、該受信したカードＩＤと、ＤＢに登録されているカードＩＤとを比較照合することにより、両替機２０ｂが受入れ中の景品交換用記録媒体が適正であるか否かの適否判定を行ない（ステップＳ７２ｂ）、適正と判定された場合には（ステップＳ７２ｂで適）、当該カードＩＤに対応する景品遊技媒体数情報をＤＢから検索し（ステップＳ７３）、該景品遊技媒体数情報を適正である旨の判定結果（適正）と共に両替機２０ｂに送出し、適正でない場合（ステップＳ７２ｂで否）には、不適正である旨の判定結果（不適正）を両替機２０ｂに送出する。
【０１３０】
一方、両替機２０ｂでは、カードＩＤ及び換金要求送出後、換金処理部２２０２が、Ｔ／Ｃ７０から上記判定結果（適正）または判定結果（不適正）のいずれかが受信されたかによって景品交換カード９５ｂが正規のものであるか否かを認識する（ステップＳ２０３ｂ）。
【０１３１】
ここで、挿入された景品交換カード９５ｂが正規のものでないと認識された場合（ステップＳ２０３ｂＮＯ）、換金処理部２２０２は、エラー処理（ステップＳ２２１）を行い、換金処理を終了する。
【０１３２】
これに対し、挿入された景品交換カード９５ｂが正規のものであると認識された場合（ステップＳ２０３ｂＹＥＳ）、換金処理部２２０２は、Ｔ／Ｃ７０から上記判定結果（適正）に付随して送出される景品遊技媒体数情報を受信し（ステップＳ２０３１）、景品遊技媒体換金率テーブル２２０４，遊技媒体換金率テーブル２２０５に設定された各換金率を参照して、上記ステップＳ２０３１で受信した景品遊技媒体数情報に対応する換金額を算出する（ステップＳ２０４ｂ）。
【０１３３】
以後、この算出した換金額を払出す処理動作は、実施例１のものと同様の実施される（ステップＳ２０５〜Ｓ２１１）。
【０１３４】
なお、本実施例に係わる両替機２０ｂの説明については、景品交換用記録媒体を受け入れて行う換金処理機能のみに言及しているが、当該両替機２０ｂは、実施例１のものと同様の両替機能を有しているのは言うまでもない。
【０１３５】
従って、実施例２に係わる両替機２０ｂにおいても、実施例１のものと同様、両替時と、景品交換用記録媒体に基づく換金時とにおいて、高額紙幣（１万円札）を対象とした図１２に示すようなリサイクル搬送が可能である。
【０１３６】
これによって、両替時に投入される高額紙幣を、景品交換用記録媒体に基づく換金時に払出す高額紙幣として再利用でき、遊技ホールにおける高額紙幣の資金効率を向上する等、実施例１のものと同等の作用効果が期待できる。
【実施例３】
【０１３７】
実施例３に係わる両替機（便宜的に、２０ｃという）は、会員登録手続を行った遊技客（会員）が所有する会員カード９１を受け入れて換金処理を行うものである。
【０１３８】
会員カード９１は、上述した如く、Ｔ／Ｃ７０の会員管理テーブル７３３に予め登録された会員コードを記録したうえで発行され、計数機４０に挿入することにより、該計数機４０による遊技媒体の計数値が貯玉数として自カードから読取られたカードＩＤ（上記会員コード）に対応して上記会員管理テーブル７３３に貯玉数として登録されるものである。
【０１３９】
ここでは、まず、図１５に示す通信制御シーケンスを参照して、実施例３に係わる両替機２０ｃでの換金処理に至るまでの計数機４０、Ｔ／Ｃ７０及び両替機２０ｃの三者間の通信制御について説明する。
【０１４０】
図１５に示すように、両替機２０ｃでの換金処理に先立って、遊技客（会員）は、獲得した遊技媒体を計数機４０で計数し、該計数値をＴ／Ｃ７０に貯玉として登録する必要がある。
【０１４１】
貯玉を行うに際して、遊技客は、玉計数機４０に会員カード９１を挿入する。玉計数機４１は、会員カード９１が挿入されると（ステップＳ４５）、該会員カード９１からカードＩＤを読取り（ステップＳ４６）、次いで、遊技客が遊技媒体（この例では、パチンコ玉）を投入するのを受けて該玉を計数する（ステップＳ４７）。
【０１４２】
玉の計数が終わると、計数機４０は、当該玉計数値を既に読取っているカードＩＤとともにＴ／Ｃ７０に送出する。その後、計数機４０は、Ｔ／Ｃ７０から上記カードＩＤに対応する貯玉処理の完了通知が受信されるのを待って、挿入中の会員カード９１を返却する（ステップＳ４８）。
【０１４３】
これに対し、Ｔ／Ｃ７０は、計数機４０からカードＩＤ及び玉計数値を受信すると、該カードＩＤに対応付けて当該玉計数値を会員管理テーブル７３１に貯玉として加算登録し（ステップＳ７５）、該貯玉処理が終わると貯玉完了通知を計数機４０に送出し、その後、両替機２０ｃからの換金要求受信待ちとなる。
【０１４４】
一方、両替機２０ｃは、景品交換用記録媒体挿入口２０１に会員カード９１が挿入されると（ステップＳ２１ｃ）、該挿入された会員カード９１から情報読取部２０２によってカードＩＤを読取り（ステップＳ２２ｃ）、該カードＩＤを換金要求と共にＴ／Ｃ７０に送出する。
【０１４５】
Ｔ／Ｃ７０は、両替機２０ｃからカードＩＤと換金要求を受信すると、該受信したカードＩＤと、会員管理テーブル７３１に登録されているカードＩＤ（会員コード）とを比較照合する（受信したカードＩＤに一致する会員コードがあるか否か）ことにより、両替機２０ｃが受入れ中の景品交換用記録媒体（会員カード９１）が適正であるか否かの適否判定を行なう（ステップＳ７６）。
【０１４６】
ここで、適正と判定された場合には（ステップＳ７６で適）、当該カードＩＤ（会員コード）に対応する貯玉数情報を会員管理テーブル７３１から検索し（ステップＳ７７）、該貯玉数情報を適正である旨の判定結果と共に両替機２０ｃに送出し、適正でない場合（ステップＳ７６で否）には、不適正である旨の判定結果を両替機２０ｃに送出する。
【０１４７】
一方、両替機２０ｃは、カードＩＤ及び換金要求送出後、Ｔ／Ｃ７０から上記いずれかの判定結果を受信し、該受信した判定結果から受け入れ中の会員カード９１が適正であると認識した場合には、一緒に受信した貯玉数情報を用いて換金処理（ステップＳ２３ｃ）を開始し、会員カード９１が不適正であると認識した場合にはエラー処理を行う。
【０１４８】
次に、実施例３に係わる両替機２０ｃの換金処理（ステップＳ２３ｃ：図７におけるＳ１２１の相当）についてより詳細に説明する。
【０１４９】
本実施例に係わる両替機２０ｃは、図１５に示した制御シーケンスに従い、計数機４０に挿入することにより、該計数機４０による遊技媒体の計数値が貯玉数として自カードから読取られたカードＩＤ（上記会員コード）に対応してＴ／Ｃ７０の会員管理テーブル７３３に貯玉数として登録される会員カード９１を受け入れて換金処理を行うものである。
【０１５０】
図１６は、実施例３に係わる両替機２０ｃの換金処理動作を示すフローチャートである。図１６において、図１０及び図１４に示す各処理と同様の処理については同一のステップ符号を付している。
【０１５１】
図１６に示すように、本実施例の両替機２０ｃは、挿入媒体が景品交換用記録媒体であると判定された（ステップＳ１０３で景品交換用記録媒体：図７参照）後の換金処理（ステップＳ１２１）において、まず、情報読取部２０２が、挿入された景品交換用記録媒体（この例では、会員カード９１）から情報（カードＩＤ）を読取り（ステップＳ２０１ｃ）、該読取ったカードＩＤを換金要求と共に通信部２０８を通じてＴ／Ｃ７０に送出する（ステップＳ２０２ｃ）。
【０１５２】
これに対し、Ｔ／Ｃ７０は、図１５に示したように、両替機２０ｃからカードＩＤと換金要求を受信すると、該受信したカードＩＤと、会員管理テーブル７３１に登録されているカードＩＤ（会員コード）とを比較照合することにより、両替機２０ｃが受入れ中の会員カード９１が適正であるか否かの適否判定を行ない（ステップＳ７６）、適正と判定された場合には（ステップＳ７６で適）、当該カードＩＤに対応する貯玉数情報を会員管理テーブル７３１から検索し（ステップＳ７７）、該貯玉数情報を適正である旨の判定結果（適正）と共に両替機２０ｃに送出し、適正でない場合（ステップＳ７６で否）には、不適正である旨の判定結果（不適正）を両替機２０ｃに送出する。
【０１５３】
一方、両替機２０ｃでは、カードＩＤ及び換金要求送出後、換金処理部２２０２が、Ｔ／Ｃ７０から上記判定結果（適正）または判定結果（不適正）のいずれかが受信されたかによって会員カード９１が正規のものであるか否かを認識する（ステップＳ２０３ｃ）。
【０１５４】
ここで、挿入された会員カード９１が正規のものでないと認識された場合（ステップＳ２０３ｃＮＯ）、換金処理部２２０２は、エラー処理（ステップＳ２２１）を行い、換金処理を終了する。
【０１５５】
これに対し、挿入された会員カード９１が正規のものであると認識された場合（ステップＳ２０３ｃＹＥＳ）、換金処理部２２０２は、Ｔ／Ｃ７０から上記判定結果（適正）に付随して送出される貯玉数情報を受信する（ステップＳ２０３１）。
【０１５６】
次いで、換金処理部２２０２は、受信した貯玉数情報に基づき表示／操作部２０３のパネル上に貯玉数を表示し、遊技客（会員）から、該貯玉数のうちの幾つ分を換金するかの選択受付処理を行う（ステップＳ２０３２）。
【０１５７】
この選択受付処理においては、例えば、表示／操作部２０３のパネル上に、全貯玉数のうちの換金する貯玉数の選択を促すメッセージと、全部換金及び一部換金の各選択ボタンと、数値入力用のテンキーを上記貯玉数と一緒に表示し、該表示中のパネル上で、遊技客が全部換金ボタンを押下した場合には、全貯玉数を換金貯玉数として取り込み、また、一部換金ボタンを押下した場合には、更にテンキーを用いて入力された数値を換金貯玉数として取り込む。
【０１５８】
次いで、換金処理部２２０２は、上記ステップＳ２０３２で遊技客によって選択された換金貯玉数から該換金貯玉数の価値と等価の景品遊技媒体数情報を算出する（ステップＳ２０３３）。
【０１５９】
なお、このステップＳ２０３３の処理については、例えば、計数機４０に備わる景品交換換算テーブル（図９参照）と同等のテーブルを両替機２０ｃに設け、計数機４０と同様、該景品交換換算テーブルを参照して景品遊技媒体数（端玉を含む場合もある）を導き出すようにすれば良い。
【０１６０】
引き続き、換金処理部２２０２は、図１１に示した処理方法を用いて、景品遊技媒体換金率テーブル２２０４に設定された換金率を参照し（端玉がある場合には、遊技媒体換金率テーブル２２０５も参照）、上記ステップＳ２０３３で算出した景品遊技媒体数情報（同、端玉数）に対応する換金額を算出する（ステップＳ２０４ｃ）。
【０１６１】
以後、この算出した換金額を払出す処理動作は、実施例１，２のものと同様の実施される（ステップＳ２０５〜Ｓ２１１）。
【０１６２】
なお、本実施例に係わる両替機２０ｃにおいても、会員カード９１を受け入れて行う換金処理機能のみならず、実施例１，２のものと同様の両替機能を有している。
【０１６３】
従って、実施例３に係わる両替機２０ｃにおいても、両替時と、会員カード９１に基づく換金時とにおいて、高額紙幣（１万円札）を対象とした図１２に示すようなリサイクル搬送が可能である。
【０１６４】
これによって、両替時に投入される高額紙幣を、景品交換用記録媒体に基づく換金時に払出す高額紙幣として再利用でき、遊技ホールにおける高額紙幣の資金効率を向上する等、実施例１，２のものと同等の作用効果が期待できる。
【０１６５】
この他、本発明は、上記し、且つ図面に示す実施例に限定することなく、その要旨を変更しない範囲内で適宜変形して実施できるものである。
【０１６６】
例えば、上記実施例では、換金処理時、景品遊技媒体数を現金に換算する際に用いる換金率を設定する手段を両替機内に設けているが、当該換金率を設定する手段をＴ／Ｃ７０に設け、該Ｔ／Ｃ７０の換金率設定手段から管理下の換金機能付両替機に対して換金率を設定するようにしても良い。
【０１６７】
この構成によれば、Ｔ／Ｃ７０から管理下の複数の換金機能付両替機に対して一括して換金率を設定したり変更したりすることができ、換金率の設定作業が簡略化でき、設定ミスも低減できる。
【０１６８】
また、上記実施例では、両替機能を元々有する両替機２０に景品交換用記録媒体に基づく換金機能を付加して構成した貨幣処理装置の例を挙げているが、本発明に係わる貨幣処理装置はカード精算機にも適用可能である。
【０１６９】
カード精算機は、遊技ホール内に設置され、会員カード９１やプリペイドカードを受け入れて残価値に対応する現金（低額紙幣）を払出す機能を有するものであるが、これに加えて、本発明の各実施例に示した景品交換用記録媒体の受入に基づく換金機能（高額紙幣の払出し機能を具備する）と、両替機能を持たせることで、両替時と換金時とで高額紙幣のリサイクルを実現できる。
【０１７０】
また、上記実施例では、計数機４０での遊技媒体計数時に発行され、該遊技媒体の計数値に対応する景品遊技媒体数情報を特定する情報（若しくは、該景品遊技媒体情報）が記録される景品交換用記録媒体（玉数レシートやカード等）を受け入れて換金処理を行うようにしているが、これに限らず、計数機４０で発行された玉数レシート等を景品交換カウンタに持参し、該玉数レシート等に変わる別の媒体を発行してもらい、当該媒体を景品交換用記録媒体として用いるようにしても良い。
【産業上の利用可能性】
【０１７１】
本発明は、遊技ホール内に設置される両替機等の貨幣処理装置に適用でき、両替機能と、景品交換用記録媒体に基づく換金機能を併有することにより、両替時に投入された高額紙幣を換金時に払出す高額紙幣として再利用でき、遊技ホールにおける高額紙幣の資金効率向上に極めて有用である。
【図面の簡単な説明】
【０１７２】
【図１】本発明に係わる遊技システムの全体構成を示すブロック図。
【図２】本発明に係わるＴ／Ｃの機能構成を示すブロック図。
【図３】Ｔ／Ｃにおける会員管理テーブルの構成例を示す図。
【図４】景品交換用記録媒体の外観構成を示す図。
【図５】本発明に係わる両替機の外観構成を示す図。
【図６】本発明に係わる両替機の機能構成を示すブロック図。
【図７】実施例１に係わる両替機の両替処理動作を示すフローチャート。
【図８】実施例１に係わる計数機とＴ／Ｃと両替機間の通信制御シーケンスを示す図。
【図９】計数機における景品遊技媒体数算出処理の一例を示す概念図。
【図１０】実施例１に係わる両替機の換金処理動作を示すフローチャート。
【図１１】換金処理部における換金額算出処理の一例を示す概念図。
【図１２】本発明に係わる両替機の高額紙幣リサイクル時の搬送イメージを示す概念図。
【図１３】実施例２に係わる計数機とＴ／Ｃと両替機間の通信制御シーケンスを示す図。
【図１４】実施例２に係わる両替機の換金処理動作を示すフローチャート。
【図１５】実施例３に係わる計数機とＴ／Ｃと両替機間の通信制御シーケンスを示す図。
【図１６】実施例３に係わる両替機の換金処理動作を示すフローチャート。
【符号の説明】
【０１７３】
１０…遊技機、１５…カード処理ユニット、２０，２０ｂ，２０ｃ…両替機、２０１…景品交換用記録媒体挿入口、２０２…情報読取部、２０３…表示／操作部、２０４…換金ボタン、２０５…取消ボタン、２０６…操作部、２０７…記憶部、２０８…通信部、２０９…紙幣取込部、２１０…紙幣挿入口、２１１…紙幣識別部、２１２…正損判定部、２１３…高額紙幣収容払出部、２１４…低額紙幣収容払出部、２１５…紙幣払出口、２１６…高額硬貨収容払出部、２１７…低額硬貨収容払出部、２１８…硬貨払出口、２１９…紙幣回収部、２２０…制御部、２２０１…両替処理部、２２０２…換金処理部、２２０３…両替換算テーブル、２２０４…景品遊技媒体換金率テーブル、２２０５…遊技媒体換金率テーブル、４０…計数機、６０…島コントローラ、７０…ターミナル・コントローラ（Ｔ／Ｃ）、７１…ＣＰＵ、７２…記憶装置、７３…メモリ、７３１…会員管理テーブル、７４…入力装置、７５…表示装置、７６…通信部、８０…ローカル・エリア・ネットワーク（ＬＡＮ）、９１…会員カード、９３…プリペイドカード、９５…景品交換用記録媒体、９５ａ…玉数レシート、９５ｂ…景品交換カード、１５０…紙幣搬送路
【図１】
2005301509.tif 000003
【図２】
2005301509.tif 000004
【図３】
2005301509.tif 000005
【図４】
2005301509.tif 000006
【図５】
2005301509.tif 000007
【図６】
2005301509.tif 000008
【図７】
2005301509.tif 000009
【図８】
2005301509.tif 000010
【図９】
2005301509.tif 000011
【図１０】
2005301509.tif 000012
【図１１】
2005301509.tif 000013
【図１２】
2005301509.tif 000014
【図１３】
2005301509.tif 000015
【図１４】
2005301509.tif 000016
【図１５】
2005301509.tif 000017
【図１６】
2005301509.tif 000018